(57)【要約】【課題】懐中時計保護用携帯収納ケースに関し、収納済懐中時計の龍頭側突部を破損の心配なく突出状態として、これに連結の貴金属による吊持用鎖を着衣に係留自在として、懐中時計の開閉器操作中における落下損傷を防止し、操作性の簡便化を図る。【解決手段】第１硬質器体２ａの第１クッション材１ａに懐中時計Ｗの時計本体Ｗ１を載納して、第２硬質器体２ｂを閉器状態にすることで時計本体Ｗ１を第１、第２クッション材１ａ、１ｂ間に弾圧挟持する。この際龍頭側突部４は第１、第２外周側壁２ｅ、２ｆに形成の通口３ｅを介し、当該第１、第２外周側壁２ｅ、２ｆから突設した第１、第２硬質カバー突板部３ａ、３ｂの突き合わせにより形成自在な横向通洞４ｆに抱持され、龍頭側突部４に連結されて横向通洞４ｆから外出の連結下げ環４ｄには、貴金属等による吊持用鎖４ｃが連結可能である。【選択図】        図１
2004198200.tif 000002
【特許請求の範囲】
【請求項１】
第１、第２クッション材を夫々内設した第１、第２硬質器体の開器状態下にあって懐中時計を載納し、当該第１、第２硬質器体を閉器状態に保持することにより、上記の第１、第２クッション材により当該懐中時計の表裏側を弾圧挟持状態にて収納自在とした懐中時計保護用携帯収納ケースにおいて、上記第１、第２硬質器体の第１、第２外周側壁からは、前記の閉器状態にあって対向位置に配装されるように夫々第１、第２硬質カバー突板部を外向きに突設すると共に、当該第１、第２硬質カバー突板部に隣装して、第１、第２硬質器体の前記第１、第２外周側壁には、第１、第２切欠凹所を形成することで、閉器状態下にあって上記第１、第２切欠凹所による通口が形成され、前記の弾圧挟持状態に収納された懐中時計の時計本体から突設された龍頭用首部を、上記した通口に装通状態とすることで、上記龍頭用首部から突出する龍頭と吊持用鎖を連結する連結下げ環の基根部側とが、前記の対向位置に配装された第１、第２硬質カバー突板部によって囲繞された横向通洞に収納されると共に、上記した連結下げ環の残余環部は、第１、第２硬質カバー突板部の外界に延出配装されるようにしたことを特徴とする懐中時計保護用携帯収納ケース。
【請求項２】
第１、第２クッション材を夫々内設した第１、第２硬質器体の開器状態下にあって懐中時計を載納し、当該第１、第２硬質器体を閉器状態に保持することにより、上記の第１、第２クッション材により当該懐中時計の表裏側を弾圧挟持状態にて収納自在とした懐中時計保護用携帯収納ケースにおいて、上記第１、第２硬質器体はその第１、第２外周側壁間に介設したヒンジによって開閉自在であると共に、閉器状態はこれまた第１、第２外周側壁に設けた止具と被止具との着脱自在な係止により保持自在となし、同上第１、第２外周側壁からは、前記の閉器状態にあって対向位置に配装されるようにＬ字状に曲折された第１、第２硬質カバー突板部を外向きに突設すると共に、当該第１、第２硬質カバー突板部に隣装して、第１、第２硬質器体の前記第１、第２外周側壁には、第１、第２切欠凹所を形成することで、閉器状態下にあって上記第１、第２切欠凹所による通口が形成され、前記の弾圧挟持状態に収納された懐中時計の時計本体から突設された龍頭用首部を、上記した通口に装通状態とすることで、上記龍頭用首部から突出する龍頭と吊持用鎖を連結する連結下げ環の基根部側とが、前記の対向位置に配装された第１、第２硬質カバー突板部によって囲繞された横向通洞に収納されると共に、上記した連結環の残余環部は、第１、第２硬質カバー突板部の外界に延出配装されるようにし、前記の如くＬ字状の第１、第２硬質カバー突板部の夫々第１、第２横向基盤部から曲折した第１、第２直曲板部の第１、第２端縁が、前記の閉器状態にあって衝当自在であることを特徴とする懐中時計保護用携帯収納ケース。
【請求項３】
第１、第２クッション材を夫々内設した第１、第２硬質器体の開器状態下にあって懐中時計を載納し、当該第１、第２硬質器体を閉器状態に保持することにより、上記の第１、第２クッション材により当該懐中時計の表裏側を弾圧挟持状態にて収納自在とした懐中時計保護用携帯収納ケースにおいて、上記第１、第２硬質器体の第１、第２外周側壁からは、前記の閉器状態にあって対向位置に配設されるように夫々第１、第２硬質カバー突板部を外向きに突設すると共に、当該第１、第２硬質カバー突板部に隣装して、第１、第２硬質器体の前記第１、第２外周側壁には、第１、第２切欠凹所を形成することで、閉器状態下にあって上記第１、第２切欠凹所による通口が形成され、前記の弾圧挟持状態に収納された懐中時計の時計本体から突設された龍頭用首部を、上記した通口に装通状態とすることで、上記龍頭用首部から突出する龍頭と吊持用鎖を連結する連結下げ環の基根部側とが、前記の対向位置に配装された第１、第２硬質カバー突板部によって囲繞された横向通洞に収納されると共に、上記した連結環の残余環部は、第１、第２硬質カバー突板部の外界に延出配装されるようにし、さらに前記した第１、第２硬質器体の第１、第２外周側壁における露呈内周壁面には、前記の懐中時計における外周端縁部に対し緩衝作用を発揮する 第１、第２内周クッション材が着設されていると共に、当該第１、第２内周側クッション材に連設した第１、第２延出クッション材が、夫々前記した第１、第２切欠凹所から第１、第２硬質カバー突板部における前記の横向通洞の露呈内面まで延出して着設されていることを特徴とする懐中時計保護用携帯収納ケース。
【請求項４】
第１、第２硬質器体にあって、その第１、第２外周側壁に連設された第１、第２器表板の一方または双方には、 第１、第２クッション材により弾圧挟持状態に収納された懐中時計の短針と長針につき、第１、第２クッション材に開設された通視口を介して直視可能とした硬質透視板が嵌着されている請求項１ないし請求項３に記載の懐中時計保護用携帯収納ケース。
【発明の詳細な説明】
【０００１】
【発明の属する技術分野】
本発明は特に高価な懐中時計を、そのまま携帯しているのでは、不本意に落としてしまうことで、貴金属等による時計側を変形してしまったり、落下に伴う衝撃によって時計機構を損傷するといった不測の事態が発生することを回避するため、当該懐中時計を格納しておくために用いられる懐中時計保護用携帯収納ケース（時計用ダブルケース）に関する。
【０００２】
【従来の技術】
既知の通りこれまでの時計用ダブルケースＲでは、図４に例示の如く第１、第２クッション材ａ、ｂを夫々内設した第１、第２硬質器体Ａ、Ｂの開器状態下にあって、一方の第１クッション材ａ上に懐中時計Ｗを載納し、当該第１、第２硬質器体Ａ、ＢをヒンジCによって閉器状態にすると共に、止具ｄと皮止具ｅとを係止状態とすることで、当該懐中時計Ｗの表裏側が第１、第２クッション材ａ、ｂにより弾圧挟持状態となるよう当該時計用ダブルケースＲ内に収納できるよう構成されている。
そして、さらに一方である第１硬質器体Ａにおける第１外周側壁ｆ１の外側からは吊下げ用突環ｇを突設し、これに係留した外装吊持用鎖ｈを着衣の適所などに係止することで、当該時計用ダブルケースＲを携帯するようにしている。
【０００３】
従って上記従来技術によるときは、上説の図４から理解される通り懐中時計Ｗが龍頭ｉに付帯の連結下げ環ｊに係嵌した貴金属製等による吊持用鎖ｋと共に、時計用ダブルケースＲに収納されることになるため、懐中時計Ｗを取り出して使用しようとするときには、当該懐中時計Ｗは全くフリーの状態下にあることから、不本意に取り落としてしまう懸念が大である。
しかも取り出した懐中時計Ｗの吊持用鎖ｋを、その都度ズボンのベルト通しなどに係留しなければならない煩わしさがあるだけでなく、もちろん時計用ダブルケースＲの吊下げ用突環ｇに係留されている外装吊持用鎖ｈを、ズボン等から係脱させねばならない面倒な操作が要求されることとなる。
【０００４】
さらに当該従来例では上記の時計用ダブルケースＲを高所から硬い所へ落下させた場合とか、大きな振動を受けたときなどには収納状態下であるから第１、第２クッション材ａ、ｂにより弾圧挟持されてはいるものの、当該懐中時計Ｗは第１、第２硬質器体Ａ、Ｂ内において変動し、特に突出状態の龍頭ｉ等が、第１、第２硬質器体Ａ、Ｂにおける第１、第２外周側壁ｆ１、ｆ２に衝当して損傷の被害をこうむることにもなる。
なお図４にあってｍ１、ｍ２は、夫々第１、第２外周側壁ｆ１、ｆ２にあって閉器状態に衝当するよう形成された第１、第２突き合わせ端縁を示している。
【０００５】
【発明が解決しようとする課題】
本発明は上記従来の時計用ダブルケースＲが有している各種の難点に鑑み検討されたもので、その請求項１における改良点は懐中時計の全体を第１、第２硬質器体内に収納してしまうことなく、当該懐中時計の龍頭用首部は、第１、第２外周側部に開成した通口に貫装配置することで、当該龍頭用首部から突出の龍頭と吊持用鎖を連結する連結下げ環の一部は、第１、第２外周側部から突設した第１、第２硬質カバー突板部の突き合わせにより形成される横向通洞に収納してしまい、上記の連結下げ環の残余環部を横向通洞から延出されるように構成するのである。
このようにすることで請求項１によるときは、収納されている懐中時計を取り出して使用する際、露呈している連結下げ環を把持するなどして開器状態とすることで、当該懐中時計の不本意な取り落としによる損傷を確実に解消しようとするのが第１の目的である。
【０００６】
また当該請求項１では懐中時計の収納時にあって上記の連結下げ環が表出しており、従ってこれに連結の貴金属製等による吊持用鎖をチョッキのボタンとかズボン等に係留させて携帯することができ、このようにすることで前記した不本意な懐中時計の取り落としを絶滅可能とするのはもちろん、従来例の如く外装吊持用鎖ｈを着衣等への係留から取り外した後、上記の懐中時計に付された吊持用鎖を着衣に係止するといった面倒な操作を無用にしようとするのが第２の目的である。
【０００７】
さらに請求項１によるときは、懐中時計の時計本体だけが第１、第２クッション材により弾圧挟持されているだけでなく、これより突設の龍頭側突部が前記の通口と一対の第１、第２硬質カバー突板部によって抱持されており、このことにより懐中時計の不本意な変動を阻止することによって、龍頭突部側が第１、第２外周側壁に衝突して破損するといったことをも阻止しようとするのが第３の目的である。
【０００８】
次に請求項２では上記請求項１の構成に関し、従来例と同様に第１、第２硬質器体はヒンジにより開閉自在とし、かつ閉器状態を保持自在とするための止具と被止具とを係脱自在なるよう第１、第２硬質器体に設けておくだけでなく、前記の第１、第２外周側壁から外向きに突設した前記の第１、第２硬質カバー突板部をＬ字状に曲折して、その第１、第２直曲板部の第１、第２端縁が閉器状態下で衝当することにより横向通道が画成されるようにし、これにより閉器状態における第１、第２硬質カバー突板部の外圧強度を向上して龍頭側突部の抱持による安全保護状態の信頼性を向上し、前記請求項１の目的達成に万全を期し得るようにしている。
【０００９】
そして請求項３によるときは、前掲請求項２の構成に加えて前掲第１、第２硬質器体の第１、第２外周側壁における露呈内周壁面にも第１、第２内周側クッション材を設けて、懐中時計が収納時に横揺れしても不測の衝撃を受けないようにし、さらに前記した通口から横向通洞の露呈内面までにも第１、第２延出クッション材を着設することで、さらに龍頭側突部に対する衝撃緩和作用を向上しようとしている。
【００１０】
また請求項４では上記した請求項１ないし請求項３において、これらの構成に加えて、第１、第２硬質器体の第１、第２器表板に、収納されている懐中時計の短針と長針位置が確認できる程度の大きさとした硬質透視板を嵌着し、前記の第１、第２クッション材に開設の通視口を介して当該両針を直視可能となし、かくして第１、第２硬質器体の強度を低下させることなく、収納されたままの懐中時計により時刻を知り得るようにしている。
【００１１】
【課題を解決するための手段】
本発明は、上記の目的を達成するため請求項１にあっては、第１、第２クッション材を夫々内設した第１、第２硬質器体の開器状態下にあって懐中時計を載納し、当該第１、第２硬質器体を閉器状態に保持することにより、上記の第１、第２クッション材により当該懐中時計の表裏側を弾圧挟持状態にて収納自在とした懐中時計保護用携帯収納ケースにおいて、上記第１、第２硬質器体の第１、第２外周側壁からは、前記の閉器状態にあって対向位置に配装されるように夫々第１、第２硬質カバー突板部を外向きに突設すると共に、当該第１、第２硬質カバー突板部に隣装して、第１、第２硬質器体の前記第１、第２外周側壁には、第１、第２切欠凹所を形成することで、閉器状態下にあって上記第１、第２切欠凹所による通口が形成され、前記の弾圧挟持状態に収納された懐中時計の時計本体から突設された龍頭用首部を、上記した通口に装通状態とすることで、上記龍頭用首部から突出する龍頭と吊持用鎖を連結する連結下げ環の基根部側とが、前記の対向位置に配装された第１、第２硬質カバー突板部によって囲繞された横向通洞に収納されると共に、上記した連結下げ環の残余環部は、第１、第２硬質カバー突板部の外界に延出配装されるようにしたことを特徴とする懐中時計保護用携帯収納ケースを提供しようとしている。
【００１２】
そして請求項２では、上記請求項１において明示した従来例の構成を前提として、これに加えて第１、第２クッション材を夫々内設した第１、第２硬質器体の開器状態下にあって懐中時計を載納し、当該第１、第２硬質器体を閉器状態に保持することにより、上記の第１、第２クッション材により当該懐中時計の表裏側を弾圧挟持状態にて収納自在とした懐中時計保護用携帯収納ケースにおいて、上記第１、第２硬質器体はその第１、第２外周側壁間に介設したヒンジによって開閉自在であると共に、閉器状態はこれまた第１、第２外周側壁に設けた止具と被止具との着脱自在な係止により保持自在となし、同上第１、第２外周側壁からは、前記の閉器状態にあって対向位置に配装されるようにＬ字状に曲折された第１、第２硬質カバー突板部を外向きに突設すると共に、当該第１、第２硬質カバー突板部に隣装して、第１、第２硬質器体の前記第１、第２外周側壁には、第１、第２切欠凹所を形成することで、閉器状態下にあって上記第１、第２切欠凹所による通口が形成され、前記の弾圧挟持状態に収納された懐中時計の時計本体から突設された龍頭用首部を、上記した通口に装通状態とすることで、上記龍頭用首部から突出する龍頭と吊持用鎖を連結する連結下げ環の基根部側とが、前記の対向位置に配装された第１、第２硬質カバー突板部によって囲繞された横向通洞に収納されると共に、上記した連結環の残余環部は、第１、第２硬質カバー突板部の外界に延出配装されるようにし、前記の如くＬ字状の第１、第２硬質カバー突板部の夫々第１、第２横向基盤部から曲折した第１、第２直曲板部の第１、第２端縁が、前記の閉器状態にあって衝当自在であるようにしたことを、その内容としている。
【００１３】
次に請求項３にあっては前掲請求項１の構成に対して、さらに前記した第１、第２硬質器体の第１、第２外周側壁における露呈内周壁面には、前記の懐中時計における外周端縁部に対し緩衝作用を発揮する 第１、第２内周クッション材が着設されていると共に、当該第１、第２内周側クッション材に連設した第１、第２延出クッション材が、夫々前記した第１、第２切欠凹所から第１、第２硬質カバー突板部における前記の横向通洞の露呈内面まで延出して着設するようにしたことを付加している。
【００１４】
そして請求項４では上記した請求項１ないし請求項３の夫々に対し、第１、第２硬質器体にあって、その第１、第２外周側壁に連設された第１、第２器表板の一方または双方には、 第１、第２クッション材により弾圧挟持状態に収納された懐中時計の短針と長針につき、第１、第２クッション材に開設された通視口を介して直視可能とした硬質透視板が嵌着されている構成が付加されていることを、その内容としている。
【００１５】
【発明の実施の形態】
本願に係る請求項１の懐中時計保護用携帯収納ケースにつき図１ないし図３によって以下詳記すると、前記従来例と同様にスポンジなどによる第１クッション材１ａを内設してあるアルミニウム、ジュラルミンそしてチタン等により形成された第１硬質器体２ａと、第２クッション材１ｂを内設してあり、これまた同種の金属などにより形成された第２硬質器体２ｂが、開閉自在なるよう構成されており、図１（Ａ）により理解される通りの開器状態下にあって懐中時計Ｗを、第１、第２クッション材１ａ、１ｂの一方へ載納した後、第１、第２硬質器体２ａ、２ｂを図１（Ｂ）のような閉器状態として、これを適宜の閉止用手段により保持自在なるよう構成されている。
このようにすることで既知の如く上記の懐中時計Ｗは、その第１、第２クッション材１ａ、１ｂによって、当該懐中時計Ｗの表裏側を弾圧挟持状態にて収納自在とすることができる。
【００１６】
ここで図１（Ｂ）、図３の一実施態様について、さらに詳記すると、上記の第１、第２硬質器体２ａ、２ｂは、円形の第１、第２器表板２ｃ、２ｄからリング状の第１、第２外周側壁２ｅ、２ｆが立設され小皿状体が形成され、これに第１、第２クッション材１ａ、１ｂを接着手段などによって内嵌固定するが、この際第１、第２クッション材１ａ、１ｂの第１、第２クッション表面１ｃ、１ｄ間に挟持間隙Ｇを形成することで、前記の如く当該挟持間隙Ｇに収納された懐中時計Ｗが、弾圧挟持状態に保持されるようにしてある。
【００１７】
本発明にあっては、上記第１、第２硬質器体２ａ、２ｂの第１、第２外周側壁２ｅ、２ｆにおける外側面から、前説した閉器状態にて丁度対向位置に配装されるように、夫々第１、第２硬質カバー突板部３ａ、３ｂが直交状にて外向きに突設されており、この際当該第１、第２硬質カバー突板部３ａ、３ｂも、第１、第２硬質器体２ａ、２ｂと一体に形成するのが望ましい。
さらに当該発明では、上記した第１、第２硬質カバー突板部３ａ、３ｂの隣装位置である第１、第２硬質器体２ａ、２ｂの第１、第２外周側壁２ｅ、２ｆにあって、閉器状態で突き合わせ状態となる第１、第２閉器接合縁２ｇ、２ｈには、夫々第１、第２切欠凹所３ｃ、３ｄを欠設するのであり、このことによって第１、第２硬質器体２ａ、２ｂの閉器状態下において、上記第１、第２切欠凹所３ｃ、３ｄにより通口３ｅが形成されるようにしてある。
【００１８】
さらに請求項１によるときは、前説の通り弾圧挟持状態にて収納されている懐中時計Ｗの時計本体Ｗ１から既知の如く突設されている龍頭側突部４にあって、その龍頭用首部４ａを上記した通口３ｅに装通状態となるよう配装する。このようにすることで上記龍頭用首部４ａから突出している既知の龍頭４ｂと、吊持用鎖４ｃを連結するための連結下げ環４ｄの基根部側４ｅとが、上記の対向位置に配装された一対の第１、第２硬質カバー突板部３ａ、３ｂにより囲繞されて形成された横向通洞４ｆに収納され、しかも上記連結下げ環４ｄにおける残余環部４ｇは、上記横向通洞４ｆから延出して第１、第２硬質カバー突板部３ａ、３ｂの外界に延出配装されることになる。
ここで上記横向通洞４ｆとして例示のものは、円形孔状に形成され、しかもその開口軸線は、円形に形成された第１、第２硬質器体２ａ、２ｂの切線と平行する方向に開通されている。
【００１９】
請求項１に係る懐中時計保護用携帯収納ケースは以上のようにして構成されているから、懐中時計Ｗを取り出して使用しようとする際には、横向通洞４ｆから延出している連結下げ環４ｄに連結の吊持用鎖４ｃを把持しておけば、これに懐中時計Ｗが連結されているのであるから、不本意に収納されている当該懐中時計Ｗを落としてしまうようなことがなくなる。
しかも懐中時計Ｗの収納時にあっても、上記の貴金属製等である吊持用鎖４ｃをチョッキの止め釦等に係留して携帯できることから使用者は宝飾的満足感を充足できると共に、このようにした場合には懐中時計Ｗの取り出し時における取り落としをも完全に防止することが可能となり、従来例のように外装吊持用鎖ｈを着衣から外して懐中時計Ｗの吊持用鎖４ｃを着衣に付するといった操作も不要となる。
さらに前記した従来例の如く懐中時計Ｗが全くフリー状態で収納されているのではなく、時計本体Ｗ１から突設されている龍頭側が通口３ｅと横向通洞４ｆ内にあって、その動きを第１、第２外周側壁２ｅ、２ｆおよび第１、第２硬質カバー突板部３ａ、３ｂにより拘束されているので、強い衝撃を受けたときも、従来例の如く突出状態のままである龍頭側が第１、第２外周側壁２ｅ、２ｆ等に衝当して、龍頭４ｂなどを破損してしまうといったことを回避することができる。
【００２０】
次に請求項２について以下説示すると、当該発明では前説の請求項１に比し、以下の構成が特定されている。
すなわち請求項１では、その第１、第２硬質器体２ａ、２ｂの開器そして閉器状態を保持するための構成については任意で、特別の制約が付されていないが、当該請求項２にあっては、第１、第２硬質器体２ａ、２ｂが、その第１、第２外周側壁２ｅ、２ｆ間に介設したヒンジ５によって開閉自在であると共に、閉器状態を保持自在とするためには、第１、第２外周側壁２ｅ、２ｆに外設した止具５Ａと被止具５Ｂとの着脱自在な係止により、その目的を達成するようにしている。
【００２１】
そして図１Ａと図２、図３によって開示されている止具５Ａは、第１外周側壁２ｅに取着螺子５ａにより外設した取着板５ｂから係止突起５ｃを突出させたもので、一方被止具５Ｂは第２外周側壁２ｆの外壁に取着螺子５ｄにより取り付けた基板５ｅと、これに蝶番５ｆを介して回動自在なるよう枢着した掛止板５ｇとからなり、当該掛止板５ｇを回動して、その係止孔５ｈを、上記の係止突起５ｃに係嵌自在なるよう構成することで、開器状態を保持可能としているが、もちろんこのような係脱機構自体は従来から知られている。
【００２２】
さらに請求項２における特定内容は、前説の第１、第２硬質カバー突板部３ａ、３ｂについてであり、ここでは閉器状態にあって対向位置に配装されるよう外設された当該第１、第２硬質カバー突板部３ａ、３ｂがＬ字状に曲折されることで、第１、第２横向基盤部３ｆ、３ｇと夫々第１、第２直曲板部３ｈ、３ｉとによって構成されているだけでなく、当該第１、第２直曲板部３ｈ、３ｉの第１、第２端縁３ｊ、３ｋが、前説した閉器状態にあって衝当自在に押当されるよう構成されている。
従って当該請求項２によるときは第１、第２硬質器体２ａ、２ｂが連枢構成で、夫々に止具５Ａと被止具５Ｂが付されていることから操作性がよくなるだけでなく、第１、第２硬質カバー突板部３ａ、３ｂをＬ字状に曲設され、かつ第１、第２直曲板部３ｈ、３ｉの第１、第２端縁３ｊ、３ｋが、閉器状態で、しっかりと衝当状態となるようにしたので、当該第１、第２硬質カバー突板部３ａ、３ｂは突設されているが充分な強度を保有させることができ、従って龍頭側の抱持による安全保護に信頼性を持たせることができる。
【００２３】
請求項３にあっては、前記した請求項２の構成に対して以下の如き内容が付加されている。
すなわち、当該付加構成とはこれまた図１によって理解される通り、前記した第１、第２硬質器体２ａ、２ｂの第１、第２外周側壁２ｅ、２ｆに関し、その第１、第２クッション材１ａ、１ｂから突出している露呈内周壁面にあって、図面の如く全周か要部だけにあって、前記の懐中時計Ｗにおける外周端縁部Ｗ２に対して緩衝作用を発揮する第１、第２内周側クッション材６ａ、６ｂが接着剤等により着設されている。
しかも当該請求項３では、さらに上記の第１、第２内周側クッション材６ａ、６ｂに対し実質的に連設した第１、第２延出クッション材６ｃ、６ｄを、夫々前説の第１、第２切欠凹所３ｃ、３ｄから第１、第２硬質カバー突板部３ａ、３ｂにおける前記の横向通洞４ｆの露呈内面まで延出して、これまた接着剤等により着設するのである。
【００２４】
従って上記の付加構成を具有する請求項３によるときは、図１（Ａ）により明示されている通り、収納された懐中時計Ｗが横揺れなどを受けても当該懐中時計Ｗの龍頭側における外周端縁部Ｗ２は、第１、第２内周側クッション材６ａ、６ｂに近接または当接していることから、不本意な動揺を受けることなく、時計本体Ｗ１に対する衝撃に対し安全性の向上を保証することができる。
しかも本発明では上記の如く横向通洞４ｆにも第１、第２延出クッション材６ｃ、６ｄが着設されているので、時計本体Ｗ１だけでなく、龍頭側突部４における特に龍頭４ｂに対する衝撃の緩和作用が助長されることになる。
【００２５】
そして請求項４では前記した第１ないし請求項３の構成に対して、以下の如き構成内容を付加するようにしている。
その付加構成とは、懐中時計Ｗを収納した前記の閉器状態にあっても当該懐中時計によって、時刻を知り得るようにしたもので、特に図１および図２によって理解される通り、第１、第２硬質器体２ａ、２ｂにあって、その第１、第２外周側壁２ｅ、２ｆが連設されている前記第１、第２器表板２ｃ、２ｄの望ましくは一方または双方に、第１、第２クッション材１ａ、１ｂによって前説の通り弾圧挟持状態に収納された当該懐中時計Ｗの短針ＳＨと長針ＬＨとにつき、その一部または全部が第１、第２クッション材１ａ、１ｂに開設された通視口７を介して直視可能となるように、硬質ガラスとか硬質合成樹脂などによる硬質透視板８を嵌着するのである。
もちろん、この際上記の通視口７には軟質で通視可能なる軟質合成樹脂を充填しておいたり、また硬質透視板８を図示例よりも分厚く形成したり、また衝撃により剥離しないように抜け止め構成を具備させて円板状等の硬質透視板８を嵌着するのが望ましい。
【００２６】
また上記の硬質透視板８は可及的に小さくすることが強度上からして望ましいので、当該懐中時計Ｗにおける文字盤の数字まで確認されなくとも、短針ＳＨと長針ＬＨの一部だけを視ることで時刻を確認できることから、可成り小さいもので時刻確認の目的を達成することができる。
請求項４では上記の如き付加構成を持たせるようにしたので、第１、第２硬質器体２ａ、２ｂの強度を実質的に低下させることなく収納状態の懐中時計Ｗによって即座に時刻の確認を行うことも可能となる。
【００２７】
【発明の効果】
本願における請求項１では、これまでのように単に懐中時計を、そのまま第１、第２硬質器体内に第１、第２クッション材により挟持した状態で収納するのではなく、収納に際して第１、第２硬質器体の第１、第２外周側壁に設けた第１、第２硬質カバー突板部により形成の横向通洞に、通口を介して懐中時計の龍頭側突部を抜け止め状態で係嵌するよう構成されている。
この結果当該発明によるときは、外部に露呈している連結下げ環とか、これに連結の吊持用鎖を保持または係留しておけば、当該懐中時計を取り落として硬い所に衝当させ、高価な懐中時計を損傷してしまうといった問題を確実に解消することができる。
しかも当該請求項１では、従来例とは根本的に違って露呈している連結下げ環に貴金属による吊持用鎖が付されており、当該吊持用鎖につき、これを衣服側に係留しておくことができることから、常に当該吊持用鎖を装飾品として有効に活用することが可能となる。
従って従来の如く外装吊持用鎖をまず着衣から取り外して、その後装飾品としての吊持用鎖を着衣に係留するといった操作に時間を費やす必要がなくなる。
【００２８】
さらにまた請求項１によるときは、前記の如く懐中時計をそのまま全体的に第１、第２硬質器体内に収納してしまうのではなしに、龍頭側突部を通口から一対の第１、第２硬質カバー突板部により形成された横向通洞によって抱持するようにしたことから、懐中時計の不本意な変動で第１、第２外周側壁に龍頭側突起部を衝当して破損が生ずるといった問題をも阻止することが可能となる。
【００２９】
次に請求項２によるときは、第１、第２硬質器体をヒンジにより開閉器自在とし、閉器状態を止部と被止具の係止により保持自在とすることで操作性をよくすると共に、第１、第２硬質カバー突板部はＬ字状に形成して、その第１、第２直曲板部の第１、第２端縁が、閉器状態にて衝当するように横向通洞を画成したことから、第１、第２硬質カバー突板部の外圧強度が向上し、時計本体から突出する龍頭側突部の安全性を保証することができる。
【００３０】
請求項３にあっては、請求項２に加えて第１、第２外周側壁の露呈内周壁面にも第１、第２内周側クッション材を設け、かつ横向通洞の露呈内面にも第１、第２延出クッション材を敷設するようにしたことから、時計本体だけでなく龍頭側突部への衝当に対する緩衝効果により、懐中時計を損傷から充分に保護することが可能となる。
【００３１】
そして請求項４では、上記した請求項１ないし請求項３の効果に加えて、第１、第２器表板に形成の硬質透視板を介して、収納されている懐中時計の短針と長針位置が確認できるようにしたので、懐中時計保護用携帯収納ケースとしての強度を低下させることなしに、収納された懐中時計によって随時時刻を視認することが可能となる。
【図面の簡単な説明】
【図１】（Ａ）は本発明に係る懐中時計保護用携帯収納ケースの開器状態にあって、懐中時計を所定位置に載納した状況を示す平面図で、（Ｂ）は（Ａ）の状態から第２硬質器体を第１硬質器体に被装して閉器状態とした際の当該懐中時計を省略して示した縦断左側面図である。
【図２】本願発明の第１硬質器体に第２硬質器体を被装して閉器状態とした場合の懐中時計収納状態を示した一部切欠の平面図である。
【図３】図２にあって懐中時計を省略して示した右側面図である。
【図４】従来の懐中時計保護用携帯収納ケースを示した開器状態下で、懐中時計を収納した状況を示す平面図である。
【符号の説明】
１ａ  第１クッション材
１ｂ  第２クッション材
１ｃ  第１クッション表面
１ｄ  第２クッション表面
２ａ  第１硬質器体
２ｂ  第２硬質器体
２ｃ  第１器表板
２ｄ  第２器表板
２ｅ  第１外周側壁
２ｆ  第２外周側壁
３ａ  第１硬質カバー突板部
３ｂ  第２硬質カバー突板部
３ｃ  第１切欠凹所
３ｄ  第２切欠凹所
３ｅ  通口
３ｆ  第１横向基板部
３ｇ  第２横向基板部
３ｈ  第１直曲板部
３ｉ  第２直曲板部
３ｊ  第１端縁
３ｋ  第２端縁
４ａ  龍頭用首部
４ｂ  龍頭
４ｃ  吊持用鎖
４ｄ  連結下げ環
４ｅ  基根部側
４ｆ  横向通洞
４ｇ  残余環部
５    ヒンジ
５Ａ  止具
５Ｂ  被止具
６ａ  第１内周側クッション材
６ｂ  第２内周側クッション材
６ｃ  第１延出クッション材
６ｄ  第２延出クッション材
７    通視口
８    硬質透視板
ＬＨ  長針
ＳＨ  短針
Ｗ    懐中時計
Ｗ１  時計本体
Ｗ２  外周端縁部
【図１】
2004198200.tif 000003
【図２】
2004198200.tif 000004
【図３】
2004198200.tif 000005
【図４】
2004198200.tif 000006